(57)【要約】      （修正有）【課題】脚のむくみを効果的に防止することができ、着用時の疲労を軽減又は抑止し、且つ、所望のシルエットを維持することが可能な下衣を提供する。【解決手段】パンツ１は、表地１Ａとして、左前身頃及び右前身頃からなる前身頃と、左後身頃２２Ｌ及び右後身頃２２Ｒからなる後身頃２２とが縫着されたものであり、下肢の大腿から下腿までを覆う左右筒状部３Ｌ，３Ｒを有する。左右筒状部３Ｌ，３Ｒは、左右大腿部３１Ｌ，３１Ｒ、左右下腿上部３２Ｌ，３２Ｒ、及び、左右下腿下部３３Ｌ，３３Ｒが連設されたものであり、左右下腿上部３２Ｌ，３２Ｒ、及び、左右下腿下部３３Ｌ，３３Ｒは、その後身頃２２に裏地３２Ｂ，３３Ｂが縫着されており、左右大腿部３１Ｌ，３１Ｒよりも、伸縮強度及び下肢に対する押圧力又は締付力が比較的大きくされている。【選択図】図４
0003165092.tif 000002
【実用新案登録請求の範囲】
【請求項１】
着用者の下肢における大腿を覆う大腿部、及び、該大腿部に連設されており、着用者の下肢における下腿を覆う下腿部を備えており、且つ、伸縮性を有する下衣であって、
前記下腿部の少なくとも一部の伸縮強度が、前記大腿部の少なくとも一部の伸縮強度よりも大きく、且つ、着用者が着用した状態において、前記下腿部の少なくとも一部における前記下腿に対する押圧力又は締付力が、前記大腿部の少なくとも一部における前記大腿に対する押圧力又は締付力よりも大きくなるように形成された、
下衣。
【請求項２】
前記大腿部は、主として表地から形成されており、
前記下腿部は、主として表地、及び、該表地に縫着又は止着された裏地から形成されており、
前記下腿部の前記裏地の伸縮強度が、前記下腿部の前記表地の伸縮強度、及び、前記大腿部の前記表地の伸縮強度よりも大きい、
請求項１に記載の下衣。
【請求項３】
当該下衣は、前身頃、及び、後身頃を有しており、
前記下腿部の前記裏地は、前記後身頃に縫着又は止着されている、
請求項２に記載の下衣。
【請求項４】
前記下腿部における前記裏地が縫着又は止着された前記後身頃の面積が、前記下腿部における前記前身頃の面積よりも大きい、
請求項３に記載の下衣。
【請求項５】
前記下腿部は、前記伸縮強度、及び、前記押圧力又は前記締付力が、互いに異なる複数の部位を有しており、
前記下腿部における前記複数の部位のうち、前記伸縮強度、及び、前記押圧力又は前記締付力が比較的大きい第１の部位は、前記下腿部における前記複数の部位のうち、前記伸縮強度、及び、前記押圧力又は前記締付力が比較的小さい第２の部位よりも、足首側に設けられている、
請求項１〜４のいずれか１項に記載の下衣。
【請求項６】
前記下腿部における前記第１の部位及び前記第２の部位は、同種の生地素材、又は、同等の伸縮強度を有する生地素材からなる裏地を有しており、
前記下腿部における前記第１の部位の前記裏地の重ね合わせ数が、前記下腿部における前記第２の部位の前記裏地の重ね合わせ数よりも多い、
請求項５に記載の下衣。
【請求項７】
前記下腿部は、着用者の膝から足首に向かう向きに沿って、前記伸縮強度、及び、前記押圧力又は前記締付力が徐々に大きくなる部位を有する、
請求項１〜６のいずれか１項に記載の下衣。
【請求項８】
当該下衣は、前記大腿部及び前記下腿部の内股線の形状が、前記下肢の形状に合わせて曲線状をなし、且つ、前記大腿部及び前記下腿部の外脇線の形状が、直線状をなす、
請求項１〜７のいずれか１項に記載の下衣。
【考案の詳細な説明】
【技術分野】
【０００１】
本考案は、パンツ等の下衣に関する。
【背景技術】
【０００２】
現在、例えば若年層の女性を中心に、いわゆる「レギンス」が流行している。かかるレギンスは、全体として弾性を有しており、穿き心地がよく、また、足元や足全体を温めつつもデザイン性に優れているので、着用者にとって、お洒落な必須アイテムの一つとなりつつある。また、最近では、レギンスの進化系とも言える「デギンス」（デニムのレギンス）も人気を博しており、流行のサイクルが速い（短い）服飾・ファッション業界では、更なる新アイテムとして、「パギンス」（パンツ＋レギンス）の流行の兆しも見られる。
【０００３】
また、弾性を有するパンツやタイツに関する発明や考案も、種々提案されている。例えば、特許文献１には、圧縮性ニットで形成された脚部を具備する弾性ストッキング型又は弾性タイツ型の圧縮性装具が記載されている。
【先行技術文献】
【特許文献】
【０００４】
【特許文献１】特表２０００−５１０７４３号公報
【考案の概要】
【考案が解決しようとする課題】
【０００５】
しかし、本考案者が上記従来のレギンス、デギンス、及びパギンスや、特許文献１記載の圧縮性装具について鋭意検討したところ、これら従来の衣服（下衣）を着用した場合、下腿の特に脹脛（ふくらはぎ：脛の後方（裏側）のふくれた部位、腓（こむら））がむくみ易く、それに起因して、長時間着用したとき、脚に疲労が溜まり易くなったり、細身のシルエットが崩れてしまったりといった不都合が生じ得ることが判明した。
【０００６】
そこで、本考案はかかる事情に鑑みてなされたものであり、脚のむくみを効果的に防止することができ、これにより、着用時の疲労を軽減又は抑止し、且つ、所望のシルエットを損ねることなく維持することが可能なパンツ等の下衣を提供することを目的とする。
【課題を解決するための手段】
【０００７】
上記課題を解決するために、本考案による下衣は、着用者の下肢における大腿を覆う大腿部、及び、その大腿部に連設されており、且つ、着用者の下肢における下腿を覆う下腿部を備えており、且つ、伸縮性（弾性）を有するものであって、下腿部の少なくとも一部の伸縮強度が、大腿部の少なくとも一部の伸縮強度よりも大きく、これにより、着用者が着用した状態において、上記下腿部の少なくとも一部における下腿に対する押圧力又は締付力が、上記大腿部の少なくとも一部における大腿に対する押圧力又は締付力よりも大きくなるように形成されたものである。
【０００８】
なお、本発明における「下衣」は、パンツ、スラックス、ズボン、タイツ、ストッキング、レギンス、デギンス、パギンス等の各種形態を含み、また、両脚用のものも片脚用のものも含む概念である。また、「大腿」とは、腰から膝までの間の部分（大腿骨のある部位、もも、又は、ふともも）を示し、「膝」とは、大腿の下端と下腿の上端との間の間接部の前面、又は、ひざがしらを示し、「下腿」とは、膝から足首までの部分を示す（以上、広辞苑第五版に基づく。）。
【０００９】
また、「伸縮強度」とは、下腿部及び大腿部を引っ張ったときに、その引っ張る力（伸びる方向へ働く力）に抗する力の度合いを示す。すなわち、下腿部の伸縮強度が、大腿部の伸縮強度よりも大きい（強い）と、下腿部と大腿部をそれぞれ同じ力で引っ張った場合、その引張力に抗する力（抵抗力）は、下腿部の方が大腿部よりも比較的大きく、このため、下腿部の方が大腿部よりも比較的伸び難い。
【００１０】
このように構成された下衣を着用すると、下衣全体が伸縮性（弾性）を有するので、その下衣の大腿部及び下腿部によって覆われた下肢が全体的に押圧され、脚全体が適度に締め付けられて引き締まったシルエットが生起されることにより、美脚の視覚効果が得られる。このとき、下腿部の少なくとも一部の伸縮強度が、大腿部の少なくとも一部の伸縮強度よりも大きいことにより、その下腿部の少なくとも一部における下腿に対する押圧力又は締付力が、その大腿部の少なくとも一部における大腿に対する押圧力又は締付力よりも大きくさる、換言すれば、下腿の少なくとも一部が、大腿の少なくとも一部に比して、より強い力で締め付けられる（引き締められる）ので、下腿の着圧（押圧）効果が大腿の着圧（押圧）効果よりも高められる。その結果、下腿から大腿にかけて、押圧力の圧力勾配が生じ、大腿側から下腿側へ流下し、且つ、重力によって下腿に留まろうとする血流が、下腿から大腿へと押し戻されるので、血液が下腿に滞留することに起因する脹脛のむくみが抑制又は解消される（但し、作用はこれに限定されない。）。
【００１１】
この場合、脹脛をより効果的に押圧して締め付ける観点から、下腿部における脹脛に対する押圧力又は締付力が、大腿部における大腿に対する押圧力又は締付力よりも大きくなるように、且つ、下腿部における脛（すね：下肢の膝から踝に至る部分をいう。）に対する締付力よりも大きくなるように、下衣の大腿部及び下腿部を構成すると更に有用である。
【００１２】
さらに、大腿部が、主として表地から形成されており、下腿部が、主として表地、及び、その表地に縫着又は止着された裏地から形成されており、下腿部の裏地の伸縮強度が、下腿部の表地の伸縮強度、及び、大腿部の表地の伸縮強度よりも大きくなるように構成しても好適である。より具体的には、例えば、下衣全体の表地は、脚の長さ方向に沿って一体に形成されていても別体に形成されていてもよく（なお、表地は、後述の如く、前身頃と後身頃のように前後に別体に形成されていてもよい。）、下腿部の裏地として、表地よりも伸縮強度が大きい異なる種類の生地素材（布地）を用いてもよい。
【００１３】
このようにすれば、伸縮強度が比較的大きい裏地が、下腿部の表地に縫着又は止着されて両者が一体化されているので、かかる裏地を有する下腿部の伸縮強度は、大腿部の伸縮強度よりも大きくなる。よって、下衣の着用状態において、このような簡便な構成により、下腿部の少なくとも一部における下腿に対する押圧力又は締付力が、大腿部の少なくとも一部における前記大腿に対する押圧力又は締付力よりも確実に大きくなる。
【００１４】
またさらに、本発明による下衣は、前身頃、及び、後身頃を有しており、下腿部の裏地が、後身頃に縫着又は止着されていても好ましい。
【００１５】
この構成によれば、伸縮強度が表地よりも大きい裏地が下腿部の後身頃に縫着又は止着されているので、下腿部の後身頃に当接する脹脛に対する押圧力又は締付力が、大腿部における大腿に対する押圧力又は締付力よりも大きく、且つ、下腿部の前身頃に当接する脛に対する押圧力又は締付力よりも大きくされる。その結果、下腿において、脹脛が選択的に且つより効果的に押圧されて締め付けられるので、血液が下腿に滞留することに起因する脹脛のむくみが、より一層抑制又は解消される。
【００１６】
さらにまた、下腿部における裏地が縫着又は止着された後身頃の面積が、下腿部における前身頃の面積よりも大きくなるようにしても有用である。
【００１７】
こうすれば、裏地の伸縮強度が表地の伸縮強度よりも大きいので、後身頃においてかかる裏地が縫着又は止着された下腿部の部位は、その部位に対応する下腿部における前身頃の部位よりも、伸縮強度が比較的大きくなり、下腿に対する押圧力又は締付力も比較的強くなる。そして、下腿部において、その後身頃の面積が、その前身頃の面積よりも大きくされているので、下腿部の後身頃で覆われる脹脛に印加される押圧力又は締付力が、下腿部の前身頃で覆われる脛に印加される押圧力又は締付力よりも高められ、その結果、下腿から大腿へ向かう血流を更に円滑にすることができる。
【００１８】
また、より具体的には、下腿部は、上述した伸縮強度、及び、押圧力又は締付力が、互いに異なる複数の部位を有しており、下腿部におけるそれらの複数の部位のうち、伸縮強度、及び、押圧力又は締付力が比較的大きい第１の部位が、下腿部におけるそれらの複数の部位のうち、伸縮強度、及び、押圧力又は締付力が比較的小さい第２の部位よりも、足首側（下肢において大腿と反対側、つまり、着用時における鉛直下方）に設けられていても好適である。なお、「第１の部位」と「第２の部位」は、伸縮強度等が互いに異なる複数の部位のうちの二つの部位を相対的に弁別するために用いる便宜的な用語であり、下腿部は、伸縮強度等が互いに異なる三つ以上の部位を有していてももちろんよい。
【００１９】
このようにすれば、脚の各部位に対する押圧力又は締付力（着圧効果）が、下衣の下腿部の第１の部位、同第２の部位、及び大腿部の順に段階的に小さくなるので、下腿のより鉛直下方から大腿へ向かう血流が更に円滑な流れとなり、その結果、脹脛に血液が滞留すること更に抑止されるので、脹脛のむくみをより一層抑制又は解消し易くなる。また、別言すれば、下腿は、膝関節を介して大腿に接続されているので、下腿全体（特に脹脛全体）を同等の押圧力又は締付力で圧すると、場合によっては、下腿において血流の圧力勾配が生起され難く、それに伴い、血液が下腿から大腿へ流動し難くなる可能性がある。これに対し、下腿部が、下腿に対する押圧力又は締付力が互いに異なる第１の部位及び第２の部位を有し、且つ、足首側が膝側よりもより強く押圧されて締め付けられることにより、下腿から大腿へ向かう血流が阻害されることを有効に防止することができる。
【００２０】
このとき、下腿部における第１の部位及び第２の部位は、同種の生地素材（布地）、又は、同等の伸縮強度を有する生地素材からなる裏地を有しており、下腿部における第１の部位のその裏地の重ね合わせ数が、下腿部における第２の部位の裏地の重ね合わせ数よりも多くなるように構成されてもよい。なお、第２の部位の裏地は単数枚（一重）でもよく、その場合、第１の部位の裏地の重ね合わせ数は、複数枚（二重以上の多重）とされる。
【００２１】
このようにすれば、下腿部の第１の部位及び第２の部位に、同種の生地素材、又は、同等の伸縮強度を有する生地素材で形成された裏地を用いても、それが複数枚重ね合わされた状態で、それらの裏地を互いに且つ表地に縫着又は止着することにより、重ね合わせ数がより多い裏地全体の伸縮強度は、重ね合わせ数がより少ない（一重を含む。）裏地全体の伸縮強度よりも大きくされる。よって、重ね合わせ数がより多い裏地を有する第１の部位の伸縮強度及び押圧力又は締付力は、重ね合わせ数がより少ない裏地を有する第２の部位の伸縮強度及び押圧力又は締付力よりも大きくなるので、素材点数を極力少なく抑えつつ、下腿から大腿へ向かう血流を更に円滑化することが可能となる。
【００２２】
また、下腿部が、着用者の膝から足首に向かう向きに沿って、上述した伸縮強度、及び、押圧力又は締付力が徐々に大きくなる部位を有するように構成しても好ましい。
【００２３】
この場合、その部位においては、膝から足首に向かって徐々に締め付けが強くなるので、その向きとは逆に、下腿のより鉛直下方の足首付近にある血液が、脹脛を通って、より鉛直上方の膝側、更には大腿側へ向かってより一層流上し易くなる利点がある。
【００２４】
加えて、大腿部及び下腿部の内股線の形状が、下肢の形状に合わせて曲線状をなし、且つ、大腿部及び下腿部の外脇線（単に「脇線」と呼んでもよい。）の形状が、直線状をなすようにしても好適である。
【００２５】
かかる構成では、内股線が下肢の形状、すなわち、下腿においては脹脛のふくらみに合わせた形状とされているので、下肢の着圧効果が更に高められるとともに、直線状をなす外脇線のラインの形状によって、直線的なシルエットが生起されるので、更なる美脚及び脚長の視覚効果をも得ることができる。
【考案の効果】
【００２６】
本考案の下衣によれば、上述した種々の構成を備えることにより、血液が下腿に滞留することに起因する脹脛のむくみを有効に抑制又は解消することができるので、着用時の疲労を軽減又は抑止することができ、且つ、穿き心地（着用感）を高めることができるとともに、適度な押圧力で脚（下肢）を締め付けた状態で実現される所望のシルエットを損なうことなく維持することが可能となる。また、これらにより、ボディメイクや体型の矯正に資することもできる。
【００２７】
さらに、普段から脚（特に脹脛）のむくみを感じている着用者が、本発明による下衣を着用することにより、そのむくみを緩和、解消、又は改善することもできるので、そのようなむくみを伴う症状として想起される例えば腎性浮腫、心性浮腫、肝性浮腫、内分泌性浮腫、栄養障害性浮腫、静脈性浮腫、リンパ性浮腫等の緩和、解消、又は改善を図ることができ、更には、それらの症状から引き起こされる病気や不調の発生防止、或いは、それらの症状から疑われる病状の回復を図ることも可能となる。
【図面の簡単な説明】
【００２８】
【図１】本考案による下衣の好適な一実施形態のパンツの構成を示す概略正面図（一部斜視）である。
【図２】本考案による下衣の好適な一実施形態のパンツの構成を示す概略背面図（一部斜視）である。
【図３】本考案による下衣の好適な一実施形態のパンツを裏返した状態を示す概略正面図（一部斜視）である。
【図４】本考案による下衣の好適な一実施形態のパンツを裏返した状態を示す概略背面図（一部斜視）である。
【図５】図１又は図３におけるＶ−Ｖ線に沿う断面を示す模式図である。
【図６】（Ａ）及び（Ｂ）は、図２において一点鎖線で囲まれた領域Ｍの構造を示す模式図である。
【図７】（Ａ）、（Ｂ）及び（Ｃ）は、図２において一点鎖線で囲まれた領域Ｂの構造を示す模式図である。
【考案を実施するための形態】
【００２９】
以下、本考案の実施の形態について、図面を参照して説明する。なお、図面中、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本考案を説明するための例示であり、本考案をその実施の形態のみに限定する趣旨ではない。さらに、本考案は、その要旨を逸脱しない限り、さまざまな変形が可能である。
【００３０】
図１は、本考案による下衣の好適な一実施形態のパンツの構成を概略的に示す正面図（一部斜視）であり、図２は、そのパンツの構成を概略的に示す背面図（一部斜視）である。なお、以下の説明において、当該パンツにおける「左右」は、パンツを着用した着用者を基準にしており、後述する裏返した状態のパンツの図示においても、着用状態の「左右」を基準とする。
【００３１】
図１及び図２に示す如く、パンツ１（下衣）は、パンツ本体である表地１Ａとして、左前身頃２１Ｌ及び右前身頃２１Ｒから構成される前身頃２１と、左後身頃２２Ｌ及び右後身頃２２Ｒから構成される後身頃２２とが縫着されたものであり、着用者の左右両下肢の大腿から下腿までを覆う左右筒状部３Ｌ，３Ｒを有する長パンツ（長スラックス、長ズボン、長タイツ、レギンス、デギンス、パギンス等）の一例である。また、パンツ１は、例えば、ウエスト部にベルト通しを有し、前後左右に複数のポケットが設けられている。
【００３２】
左筒状部３Ｌは、左下肢の大腿を覆う左大腿部３１Ｌ、膝下から下腿の略上半分を覆う左下腿上部３２Ｌ（第２の部位）、及び、左下腿上部３２Ｌの下方の下腿を覆う左下腿下部３３Ｌ（第１の部位）が連設されたものであり、同様に、右筒状部３Ｒは、右下肢の大腿を覆う右大腿部３１Ｒ、膝下から下腿の略上半分を覆う右下腿上部３２Ｒ（第２の部位）、及び、右下腿上部３２Ｒの下方の下腿を覆う右下腿下部３３Ｒ（第１の部位）が連設されたものである。このように、左下腿上部３２Ｌ、及び、左下腿下部３３Ｌ、並びに、右下腿上部３２Ｒ、及び、右下腿下部３３Ｒのそれぞれから、下腿部が構成されている。
【００３３】
なお、本実施形態では、左右筒状部３Ｌ，３Ｒを構成する表地１Ａの前身頃２１及び後身頃２２は、それぞれ一体に形成されており、左右大腿部３１Ｌ，３１Ｒ、左右下腿上部３２Ｌ，３２Ｒ、及び、左右下腿下部３３Ｌ，３３Ｒの互いに隣接する要素間に繋ぎ目（縫い目）はない。
【００３４】
図３は、パンツ１を裏返した状態を概略的に示す正面図（一部斜視）であり、図４は、パンツ１を裏返した状態を概略的に示す背面図（一部斜視）である。
【００３５】
図３及び図４に示す如く、パンツ１は、左右後身頃２２Ｌ，２２Ｒにおける左右下腿上部３２Ｌ，３２Ｒに相当する部位のそれぞれに縫着された裏地３２Ｂ（下腿部の第２の部位の裏地）と、左右後身頃２２Ｌ，２２Ｒにおける左右下腿下部３３Ｌ，３３Ｒに相当する部位のそれぞれに縫着された裏地３３Ｂ（下腿部の第１の部位の裏地）を備えている。
【００３６】
ここで、表地１Ａを構成する前身頃２１及び後身頃２２の生地素材（布地）としては、下肢を適度な押圧力で締め付けることが可能な程度の伸縮性（弾性）を有するものであれば特に制限されず、織布／不織布のいずれでもよく、例えば、伸縮性やデザイン性等に優れる観点から、デニムニット等の種々の編み物（編み方も特に制限されない。）が挙げられる。
【００３７】
また、左右下腿上部３２Ｌ，３２Ｒに設けられた裏地３２Ｂ、及び、左右下腿下部３３Ｌ，３３Ｒに設けられた裏地３３Ｂの生地素材（布地）としては、その伸縮強度が、表地１Ａ（前身頃２１及び後身頃２２）の伸縮強度よりも大きいものが用いられる。こうすることにより、裏地３２Ｂ，３３Ｂが表地１Ａの伸びを規制し、その結果、裏地３２Ｂ，３３Ｂが設けられた左右下腿上部３２Ｌ，３２Ｒ、及び、左右下腿下部３３Ｌ，３３Ｒの伸縮強度ひいては下腿に対する押圧力又は締付力が、裏地が設けられていない左右大腿部３１Ｌ，３１Ｒの伸縮強度ひいては下腿に対する押圧力又は締付力よりも大きくされる。
【００３８】
さらに、左右下腿上部３２Ｌ，３２Ｒに設けられた裏地３２Ｂ、及び、左右下腿下部３３Ｌ，３３Ｒに設けられた裏地３３Ｂは、同種の生地素材（布地）、又は、同等の伸縮強度を有する生地素材から形成されている。また、左右下腿下部３３Ｌ，３３Ｒの裏地３３Ｂは、その裏地生地が複数枚重ね合わされた状態で表地１Ａに縫着又は止着されたものであり、一方、左右下腿上部３２Ｌ，３２Ｒの裏地３２Ｂは、その裏地生地が１枚又は複数枚重ね合わされた状態で表地１Ａに縫着又は止着されたものであり、左右下腿下部３３Ｌ，３３Ｒの裏地３３Ｂの生地枚数が、左右下腿上部３２Ｌ，３２Ｒの裏地３２Ｂの生地枚数よりも多くされている。これにより、左右下腿下部３３Ｌ，３３Ｒの伸縮強度ひいては下腿に対する押圧力又は締付力が、左右下腿上部３２Ｌ，３２Ｒの伸縮強度ひいては下腿に対する押圧力又は締付力よりも大きくなる。
【００３９】
またさらに、パンツ１の左右筒状部３Ｌ，３Ｒは、図３に示すとおり、後身頃２２の左右端Ｔ，Ｔが、着用者の下肢の外脇線Ｗ１及び内股線Ｗ２よりも前方側まで延在するように、前身頃２１及び後身頃２２が裁断形成されている。
【００４０】
ここで、図５は、図１又は図２におけるＶ−Ｖ線に沿う断面図であり、前身頃２１及び後身頃２２のそれぞれの弧長（周長）の相対関係を模式的に示す図である。同図に示すように、後身頃２２の左右端Ｔ，Ｔは、下肢の外脇線Ｗ１及び内股線Ｗ２よりも前方側に延びており、後身頃２２の弧長Ｎ２２は、前身頃２１の弧長Ｎ２１よりも長くされている。よって、左右下腿上部３２Ｌ，３２Ｒ、及び、左右下腿下部３３Ｌ，３３Ｒにおいて、裏地３２Ｂ，３３Ｂが縫着された後身頃２２の部位の面積が、その部位に対応する前身頃２１の部位の面積よりも大きくされている。
【００４１】
また、図６（Ａ）及び（Ｂ）は、図２において一点鎖線で囲まれた領域Ｍの構造を示す模式図である。同図（Ａ）に示す如く、左右下腿上部３２Ｌ，３２Ｒの裏地３２Ｂと表地１Ａは、縫糸Ｊ１によってジグザグ状に縫い付けられており、同図（Ｂ）に示す如く、生地素材の伸縮性が損なわれずに、十分な伸縮が可能とされている。
【００４２】
さらに、図７（Ａ）乃至（Ｃ）は、図２において一点鎖線で囲まれた領域Ｂの構造を示す模式図である。同図（Ａ）に示す如く、パンツ１の左右筒状部３Ｌ，３Ｒの裾（開放端部）は、表地１Ａが内側に折り返された状態で、その重ね合わせ部分が、縫糸Ｊ２によってジグザグ状に縫い付けられており、同図（Ｂ）に示す如く、生地素材の伸縮性が損なわれずに、十分な伸縮が可能とされ、また、折り返しによって、足口（開放径）が狭くても、着脱がし易いような始末が施されている。或いは、同図（Ｃ）に示す如く、同図（Ａ）及び（Ｂ）に示されたジグザグ状の縫糸Ｊ２に替えて、伸縮性を有する縫糸Ｊ３によって、折り返し部分が直線状に縫い付けられていてもよい。
【００４３】
また、図４に示す如く、左右下腿下部３３Ｌ，３３Ｒの裏地３３Ｂには、その略中央部と足首近傍の部位との間に、ジグザグ状の縫糸Ｊ４，Ｊ４が交差するように縫い付けられてなるステッチ（クロスステッチ）が施されている。このステッチにより、左右下腿下部３３Ｌ，３３Ｒでは、着用者の膝から足首に向かう向きに沿って、その伸縮強度、及び、下腿に対する押圧力又は締付力が徐々に大きくなるようにされており、脹脛から足首に向かって締め付けが徐々に強くされている。
【００４４】
加えて、図１乃至図４に示すとおり、パンツ１の左右筒状部３Ｌ，３Ｒは、その内股線Ｗ２の形状、すなわち、内股から足首にかけて延びるラインの形状が、脹脛の部位で緩やかに膨らんで突出する（つまり、脹脛に当たる部位の径が、膝に当たる部位の径よりも大きくなる）曲線的なシルエットを画定するように、下肢の形状に合わせた形状にデザインされている。一方、左右筒状部３Ｌ，３Ｒは、その外脇線Ｗ１のライン形状が、内股線Ｗ２よりも直線的なシルエットを画定するようにデザインされている。
【００４５】
以上のような構成を有するパンツ１によれば、左右下腿上部３２Ｌ，３２Ｒ、及び、左右下腿下部３３Ｌ，３３Ｒにおける下腿に対する押圧力又は締付力が、左右大腿部３１Ｌ，３１Ｒにおける大腿に対する押圧力又は締付力よりも大きくされているので、下腿から大腿にかけて、押圧力又は締付力の圧力勾配が生じ、大腿側から下腿側へ流下し、且つ、重力によって下腿に留まろうとする血流が、下腿から大腿へと押し戻され易くなる。したがって、パンツ１の着用時において、血液が下腿に滞留することに起因し得る脹脛のむくみが抑制又は解消されるので、着用時の疲労を軽減又は抑止しつつ、適度な押圧力で脚（下肢）を締め付けた状態で実現される所望のシルエットを損なうことなく、長時間維持することが可能となる。
【００４６】
それとともに、ボディメイクや体型の矯正にも有効であり、また、脹脛のむくみを緩和、解消、又は改善することができるので、そのようなむくみを伴う症状を緩和、解消、又は改善することができ、ひいては、それらの症状から引き起こされる病気の防止や、かかる症状から疑われる病状の回復を図ることも可能となる。
【００４７】
また、伸縮強度が表地１Ａよりも大きくされた左右下腿上部３２Ｌ，３２Ｒ、及び、左右下腿下部３３Ｌ，３３Ｒの裏地３２Ｂ，３３Ｂが、後身頃２２にのみ縫着されることにより、下腿において前身頃２１が当接する脛よりも、それらの裏地３２Ｂ，３３Ｂが当接する脹脛の方が選択的に且つより効果的に押圧されて締め付けられるので、脹脛のむくみの解消効果を更に高めることができる。
【００４８】
さらに、左右下腿上部３２Ｌ，３２Ｒに設けられた裏地３２Ｂ、及び、左右下腿下部３３Ｌ，３３Ｒに設けられた裏地３３Ｂが、同種の生地素材、又は、同等の伸縮強度を有する生地素材から形成されており、且つ、裏地３３Ｂの生地枚数が、裏地３２Ｂの生地枚数よりも多い状態で、前身頃２１に縫着又は止着されていることから、左右下腿下部３３Ｌ，３３Ｒの伸縮強度ひいては下腿に対する押圧力又は締付力が、左右下腿上部３２Ｌ，３２Ｒの伸縮強度ひいては下腿に対する押圧力又は締付力よりも大きくされ、これにより、素材点数を極力少なく抑えつつ、下腿から大腿へ向かう血流を更に円滑化することが可能となる。
【００４９】
またさらに、このようにして、伸縮強度及び下腿に対する押圧力又は締付力が比較的大きい左右下腿下部３３Ｌ，３３Ｒが、それらが比較的小さい左右下腿上部３２Ｌ，３２Ｒよりも足首側に設けられているので、大腿から足首にかけて、下肢に印加される押圧力又は締付力が段階的に徐々に大きくなり、下腿のより鉛直下方から大腿へ向かう血流を更に円滑な流れとすることができ、脹脛のむくみをより一層抑制又は解消し易くなる利点がある。
【００５０】
さらにまた、左右下腿下部３３Ｌ，３３Ｒの裏地３３Ｂにおいて、その略中央部と足首近傍の部位との間に、ジグザグ状の縫糸Ｊ４，Ｊ４が交差するように縫い付けられてなるステッチが施されており、これによっても、左右下腿下部３３Ｌ，３３Ｒでは、着用者の膝から足首に向かう向きに沿って、その伸縮強度、及び、下腿に対する押圧力又は締付力が徐々に大きくなるようにされており、脹脛から足首に向かって締め付けが徐々に強くされているので、下腿から大腿への血流が更に一層改善されて、むくみの発生を更に防止し易くなる。
【００５１】
また、パンツ１の左右筒状部３Ｌ，３Ｒは、後身頃２２の左右端Ｔ，Ｔが、着用者の下肢の外脇線Ｗ１及び内股線Ｗ２よりも前方側まで延在し、後身頃２２の弧長Ｎ２２が、前身頃２１の弧長Ｎ２１よりも長くされ、これにより、左右下腿上部３２Ｌ，３２Ｒ、及び、左右下腿下部３３Ｌ，３３Ｒにおいて、後身頃２２の裏地３２Ｂ，３３Ｂが縫着された部位の面積が、その部位に対応する前身頃２１の部位の面積よりも大きくされているので、脹脛Ｆを矢印Ｙ（図５）で示す内側へ向かう方向に締め付ける押圧力が、脛Ｓに印加される押圧力よりも高められる。その結果、下腿から大腿へ向かう血流を更に円滑にすることができ、脹脛のむくみをより一層抑えることが可能となる。
【００５２】
加えて、パンツ１の左右筒状部３Ｌ，３Ｒは、その内股線Ｗ２のライン形状が、脹脛の部位で緩やかに膨らんで突出する曲線的なシルエットを画定するように形成されているので、左右下腿上部３２Ｌ，３２Ｒ、及び、左右下腿下部３３Ｌ，３３Ｒにおける下肢の着圧効果を更に向上させ、これにより、血流の改善によるむくみ防止効果を更に向上させることが可能となる。また、左右筒状部３Ｌ，３Ｒは、その外脇線Ｗ１のライン形状が、内股線Ｗ２よりも直線的なシルエットを画定するようにデザインされているので、これにより、更なる美脚及び脚長の視覚効果をも得ることができる。
【００５３】
なお、上述したとおり、本考案は上記の各実施形態に限定されるものではなく、その要旨を変更しない限度において様々な変形が可能である。例えば、左右大腿部３１Ｌ，３１Ｒ、左右下腿上部３２Ｌ，３２Ｒ、及び、左右下腿下部３３Ｌ，３３Ｒの表地１Ａは、それぞれ別体に構成され、それらが互いに縫着されていてもよい。また、左右下腿上部３２Ｌ，３２Ｒ、及び、左右下腿下部３３Ｌ，３３Ｒのいずれか一方から、下腿部を形成してもよく、これらに加えて、伸縮強度が異なる更に他の部位を設けてもよい。さらに、裏地３２Ｂ，３３Ｂを、前身頃２１にも設けてもよい。
【００５４】
またさらに、左右下腿下部３３Ｌ，３３Ｒの裏地３３Ｂには、縫糸Ｊ４から構成されるステッチ（クロスステッチ）を形成しなくてもよく、左右下腿上部３２Ｌ，３２Ｒにおいて、かかるステッチを形成しても構わない。加えて、例えば、左右下腿上部３２Ｌ，３２Ｒ及び左右下腿下部３３Ｌ，３３Ｒの部位を、それら二段（二部）構造（構成）ではなく、更に多段に構成してもよい。より具体的には、例えば、三段構造、すなわち、裏地が１重の部位、裏地が２重の部位、及び、裏地が３重の部位を、膝から足首にかけて連設しても好適である。この場合、裏地が同種のものであれば、裏地が１重の部位、裏地が２重の部位、及び、裏地が３重の部位の順に、押圧力又は締付力が大きくなるので、足首から膝及び大腿へかけて、より好ましい圧力勾配を生起させることができる。
【００５５】
しかも、本考案者が、そのような三段構造を有するパンツ（クロスステッチなし）の試作及び試着を行ったところ、ＳサイズやＭサイズといったサイズに限らず、脚通りよく着用できることが確認された。さらに、図４に示す二段構造のパンツ（クロスステッチあり／なし）も試作し、上記三段構成のパンツと穿き比べたところ、個人差はあるものの、三段構成のパンツの方が、二段構造のパンツよりも、着圧効果が高い傾向にあることが判明した。また、二段構造のパンツの場合、ステッチありのものの方が、ステッチなしのものよりも、着圧効果が高いことが確認された。なお、それらの試作において、二段構造のパンツも三段構造のパンツも、縫製に特段の困難性は認められず、また、両者の作業性に有意な差異は感じられなかった。
【産業上の利用可能性】
【００５６】
以上説明したとおり、本考案の下衣によれば、脹脛のむくみを効果的に防止することができ、これにより、着用時の疲労の軽減、着用感及び美観を向上せしめ、しかも、ボディメイクや体型の矯正にも有効であり、さらに、むくみに伴う症状や病状を回復させることも可能となるので、パンツ、スラックス、ズボン、タイツ、ストッキング、レギンス、デギンス、パギンス等の種々の下衣、及び、その製作、並びに、それらを用いた実用用途及び治療用途等に広く利用することができる。
【符号の説明】
【００５７】
１…パンツ（下衣）、１Ａ…表地、３Ｌ…左筒状部、３Ｒ…右筒状部、２１…前身頃、２１Ｌ…左前身頃、２１Ｒ…右前身頃、２２…後身頃、２２Ｌ…左後身頃、２２Ｒ…右後身頃、３１Ｌ…左大腿部、３１Ｒ…右大腿部、３２Ｂ，３３Ｂ…裏地、３２Ｌ…左下腿上部（第２の部位）、３２Ｒ…右下腿上部（第２の部位）、３３Ｌ…左下腿下部（第１の部位）、３３Ｒ…右下腿下部（第１の部位）、Ｂ，Ｍ…領域、Ｆ…脹脛、Ｊ１，Ｊ２，Ｊ３，Ｊ４…縫糸、Ｎ２１，Ｎ２２…弧長、Ｓ…脛、Ｔ，Ｔ…左右端、Ｗ１…外脇線、Ｗ２…内股線。
【図１】
0003165092.tif 000003
【図２】
0003165092.tif 000004
【図５】
0003165092.tif 000005
【図６】
0003165092.tif 000006
【図７】
0003165092.tif 000007
【図３】
0003165092.tif 000008
【図４】
0003165092.tif 000009